【手続補正書】
【提出日】平成17年9月8日(2005.9.8)
【手続補正１】
【補正対象書類名】明細書
【補正対象項目名】０１１０
【補正方法】変更
【補正の内容】
【０１１０】
［変形例４］
図１１は、第１光変調素子にＤＭＤを、第２光変調素子に反射型液晶ライトバルブを用いた単板式の投射型表示装置７の主たる光学構成を示す図である。なお、図１及び図１０に示した構成要素と同一の構成要素については、同一の符号を付して説明を省略する。投射型表示装置７は、図１１に示すように、光源１０、カラーフィルタ３０、ＤＭＤ５０、反射型液晶ライトバルブ２２０、偏光ビームスプリッター２４０、投影用レンズ１００等を含み、これらを光学的に直列に配置した構成となっている。
そして、光源１０から照射された白色光は、偏光変換素子１５を通過することによりＰ偏光となり、集光レンズ２０、カラーフィルタ３０、ＤＭＤ５０に向けて射出される。ＤＭＤにおいて変調を受けたＰ偏光は、リレーレンズ２７０に入射し、偏光ビームスプリッター２４０に向けて射出される。
偏光ビームスプリッター２４０に入射した光は、Ｐ偏光であるため偏光ビームスプリッター２４０を透過（直進）し、λ／４板２６０を経て反射型液晶ライトバルブ２２０に入射する。そして、反射型液晶ライトバルブ２２０に入射した光は、変調を受けて反射して、再びλ／４板２６０を経て偏光ビームスプリッター２４０に入射する。入射した光は、Ｓ偏光となっているため、偏光ビームスプリッター２４０で反射して射出される。
そして、ＤＭＤ５０及び反射型液晶ライトバルブ２２０で変調を受けたＳ偏光は、投射レンズ１００を経てスクリーン１１０に投射される。
【手続補正２】
【補正対象書類名】明細書
【補正対象項目名】０１１１
【補正方法】変更
【補正の内容】
【０１１１】
［変形例５］
図１２は、第１光変調素子及び第２光変調素子に反射型液晶ライトバルブを用いた３板式の投射型表示装置８の主たる光学構成を示す図である。なお、図１，図１０及び図１１に示した構成要素と同一の構成要素については、同一の符号を付して説明を省略する。
投射型表示装置８は、図１２に示すように、光源１０、第１反射型液晶ライトバルブ２１０、第２反射型液晶ライトバルブ２２０ｒ，２２０ｇ，２２０ｂ、第１偏光ビームスプリッター２３０、第２偏光ビームスプリッター２４０ｒ，２４０ｇ，２４０ｂ、第１ダイクロックミラー３１０、第２ダイクロックミラー３２０、色合成プリズム３３０、投影用レンズ１００等を含む構成となっている。カラーフィルタ３０を用いていないので、光の利用効率を上げることができる。
第１ダイクロックミラー３１０及び第２ダイクロックミラー３２０は、屈折率のそれぞれ異なる誘電体の多層膜により、２つ以上の波長域の光を分離するものである。色合成プリズム３３０は、赤色、緑色及び青色の光を合成するものである。
そして、光源１０から照射された白色光は、偏光変換素子１５を通過することによりＰ偏光となり、集光レンズ２０、集光レンズ４０を通過して、第１偏光ビームスプリッター２３０に向けて射出される。
第１偏光ビームスプリッター２３０に入射した光は、Ｐ偏光であるため第１偏光ビームスプリッター２３０を透過（直進）して、λ／４板２５０を経て第１反射型液晶ライトバルブ２１０に入射する。そして、第１反射型液晶ライトバルブ２１０に入射した光は、変調を受けて反射して、再びλ／４板２５０を経て第１偏光ビームスプリッター２３０に入射する。
再び第１偏光ビームスプリッター２３０に入射した光は、Ｓ偏光となっているため第１偏光ビームスプリッター２３０で反射して、リレーレンズ２７０に入射し、第１ダイクロックミラー３１０に向けて射出される。
第１ダイクロックミラー３１０に入射した光は、青色とそれ以外（赤色及び緑色）の光に分離、反射される。
青色光は、ミラー３４０で反射した後に集光レンズ６０を通過して、第２偏光ビームスプリッター２４０ｂに入射する。そして、Ｓ偏光であるため第２偏光ビームスプリッター２４０ｂで反射し、λ／４板２６０を経て第２反射型液晶ライトバルブ２２０ｂに入射する。そして、第２反射型液晶ライトバルブ２２０ｂに入射した青色光は、変調を受けて反射して、再びλ／４板２６０を経て第２偏光ビームスプリッター２４０ｂに入射する。入射した青色光は、Ｐ偏光となっているため、第２偏光ビームスプリッター２４０ｂを透過して射出する。
一方、赤色及び緑色の光は、ミラー３４０で反射した後に、第２ダイクロックミラー３２０に入射し、赤色光と緑色光に分離、反射し、集光レンズ６０を通過して、それぞれ第２偏光ビームスプリッター２４０ｒ，２４０ｇに入射する。そして、青色光と同様に、第２反射型液晶ライトバルブ２２０ｒ、２２０ｇにおいて変調されて、またＰ偏光となって第２偏光ビームスプリッター２４０ｒ，２４０ｇを透過して射出する。
そして、第１反射型液晶ライトバルブ２１０、第２反射型液晶ライトバルブ２２０ｒ，２２０ｇ，２２０ｂで変調を受けたそれぞれのＰ偏光は、色合成プリズム３３０に入射し、合成された後に、投射レンズ１００を経てスクリーン１１０に投射される。
【手続補正３】
【補正対象書類名】明細書
【補正対象項目名】０１１２
【補正方法】変更
【補正の内容】
【０１１２】
［変形例６］
図１３は、第１光変調素子にＤＭＤを、第２光変調素子に反射型液晶ライトバルブを用いた３板方式の投射型表示装置９の主たる光学構成を示す図である。なお、図１，図１０〜図１２に示した構成要素と同一の構成要素については、同一の符号を付して説明を省略する。
投射型表示装置９は、図１３に示すように、光源１０、ＤＭＤ５０、反射型液晶ライトバルブ２２０ｒ，２２０ｇ，２２０ｂ、偏光ビームスプリッター２４０ｒ，２４０ｇ，２４０ｂ、第１ダイクロックミラー３１０、第２ダイクロックミラー３２０、色合成プリズム３３０、投影用レンズ１００等を含む構成となっている。カラーフィルタ３０を用いていないので、光の利用効率を上げることができる。
そして、光源１０から照射された白色光は、偏光変換素子１５を通過することによりＰ偏光となり、集光レンズ２０、λ／２板３５０を通過してＳ偏光となってＤＭＤ５０に向けて射出される。ＤＭＤ５０において変調を受けたＳ偏光は、リレーレンズ２７０に入射し、第１ダイクロックミラー３１０に向けて射出される。
第１ダイクロックミラー３１０に入射した光は、青色とそれ以外（赤色及び緑色）の光に分離、反射される。
青色光は、ミラー３４０で反射した後に集光レンズ６０を通過して、第２偏光ビームスプリッター２４０ｂに入射する。そして、Ｓ偏光であるため第２偏光ビームスプリッター２４０ｂで反射し、λ／４板２６０を経て第２反射型液晶ライトバルブ２２０ｂに入射する。そして、第２反射型液晶ライトバルブ２２０ｂに入射した青色光は、変調を受けて反射して、再びλ／４板２６０を経て第２偏光ビームスプリッター２４０ｂに入射する。入射した青色光は、Ｐ偏光となっているため、第２偏光ビームスプリッター２４０ｂを透過して射出する。
一方、赤色及び緑色の光は、ミラー３４０で反射した後に、第２ダイクロックミラー３２０に入射し、赤色光と緑色光に分離、反射し、集光レンズ６０を通過して、それぞれ第２偏光ビームスプリッター２４０ｒ，２４０ｇに入射する。そして、青色光と同様に、第２反射型液晶ライトバルブ２２０ｒ、２２０ｇにおいて変調されて、またＰ偏光となって第２偏光ビームスプリッター２４０ｒ，２４０ｇから射出する。
そして、ＤＭＤ５０、反射型液晶ライトバルブ２２０ｒ，２２０ｇ，２２０ｂで変調を受けたそれぞれのＰ偏光は、色合成プリズム３３０に入射し、合成された後に、投射レンズ１００を経てスクリーン１１０に投射される。